(57)【特許請求の範囲】
【請求項１】
湛水時には設定水位以上の田面水を排出して水位調整すると共に、乾田時には深溝または地中からの排水を排出する排水装置であって、
上端開放の有底縦管状に形成され、側壁下端部に形成される排水流入口と排出口とを有する外筒、
上端部に形成される田面水流入口を有し、前記外筒内に嵌入されて、上下動することによって前記田面水流入口の高さ位置を変更可能な内筒、
前記排水流入口を開閉可能に封止する封止部、
前記内筒に設けられる第１係合部、および
前記外筒に設けられ、前記第１係合部を係止することによって前記内筒を所望の高さ位置で保持する第２係合部を備える、排水装置。
【請求項２】
前記内筒の下部分は、軸方向長さが周方向で異なるように形成され、
前記外筒は、内周面から突出する突起部を有し、
前記第１係合部が前記内筒の下端であり、前記第２係合部が前記突起部である、請求項１記載の排水装置。
【請求項３】
前記内筒の下端は、階段状に形成される、請求項２記載の排水装置。
【請求項４】
前記外筒の内周面および前記内筒の外周面のそれぞれと密着する止水部材を備える、請求項１ないし３のいずれかに記載の排水装置。
【発明の詳細な説明】
【技術分野】
【０００１】
この発明は排水装置に関し、特にたとえば、田畑輪換を行う圃場などに用いられて、湛水時には設定水位以上の田面水を排出して水位調整すると共に、畑作時などの乾田時には深溝または地中からの排水を排出する、新規な排水装置に関する。
【背景技術】
【０００２】
従来、水田には、稲の生育過程などに応じて田面水の水位調整を行うために、設定水位以上の田面水を排出してその水位を調整する排水装置（水位調整器または落水口とも言う。）が設けられている。
【０００３】
たとえば、特許文献１には、従来の排水装置の一例が開示される。特許文献１の排水装置は、外筒およびそれに嵌入される内筒を備える。外筒の側壁上部には窓部が形成され、この窓部は、堰として機能する内筒が上下動することによって、その開口高さが任意に変えられる。また、外筒の下流端には、排水管が接続される。湛水時には、所望の田面水高さの位置に内筒上端がくるように調整され、内筒上端を超える余剰の田面水を排水管に排出することによって、田面水の水位が所望高さに保たれる。
【先行技術文献】
【特許文献】
【０００４】
【特許文献１】特開平１１−２８０２８号公報  [Ａ０１Ｇ  ２５／００]
【発明の概要】
【発明が解決しようとする課題】
【０００５】
近年、水田農業の改善を図るため、数年ごとに圃場を田状態および畑状態で交互に利用する田畑輪換を行う圃場が増加している。ここで、畑作期間においては、湿害を防止するために、深溝または地中からの排水を適切に行うことが必要となる。また、冬期に裏作を行ったり、単に圃場から水を抜いて乾田化したりするような場合にも、深溝または地中からの排水を適切に行うことが必要となる。
【０００６】
しかしながら、特許文献１の技術では、田面水を排出してその水位を調整することはできるものの、深溝または地中からの排水を排出することはできない。そこで、深溝または地中からの排水を行う排水設備を圃場に別途設けることが考えられるが、これでは設備コストが嵩んでしまい、特に、兼業農家などが個々に営む小規模の圃場では実施し難い。
【０００７】
また、特許文献１の技術では、内筒にスリットを形成して外筒に圧入状態で嵌合し、そのスリットを拡張する方向にばねで付勢することによって、外筒の内周面と内筒の外周面とを密着させている。しかし、鉛直方向に設置される外筒と内筒とを密着させるだけでは、内筒が滑り落ちてしまう可能性があり、田面水の水位調整を適切に行うことができない恐れがある。
【０００８】
それゆえに、この発明の主たる目的は、新規な、排水装置を提供することである。
【０００９】
この発明の他の目的は、簡単な構成で、設定水位以上の田面水を排出して水位調整すると共に、深溝および地中からの排水を排出することが可能な、排水装置を提供することである。
【００１０】
この発明のさらに他の目的は、内筒の意図しない下がりを防止でき、田面水の水位調整を適切に行うことができる、排水装置を提供することである。
【課題を解決するための手段】
【００１１】
第１の発明は、湛水時には設定水位以上の田面水を排出して水位調整すると共に、乾田時には深溝または地中からの排水を排出する排水装置であって、上端開放の有底縦管状に形成され、側壁下端部に形成される排水流入口と排出口とを有する外筒、上端部に形成される田面水流入口を有し、外筒内に嵌入されて、上下動することによって田面水流入口の高さ位置を変更可能な内筒、排水流入口を開閉可能に封止する封止部、内筒に設けられる第１係合部、および外筒に設けられ、第１係合部を係止することによって内筒を所望の高さ位置で保持する第２係合部を備える、排水装置である。
【００１２】
第１の発明では、排水装置は、外筒および内筒を有し、田畑輪換を行う圃場に用いられる。外筒は、上端開放の有底縦管状に形成され、その側壁下端部には、排水流入口および排出口が形成される。内筒は、外筒内に嵌入される。この内筒を上下動させることによって、その上端部に形成される田面水流入口の高さ位置が変更される。また、外筒の排水流入口には、排水流入口を開閉可能に封止する蓋などの封止部が設けられる。さらに、外筒には、内筒に設けられた第１係合部を係止することによって内筒を所望の高さ位置で保持する第２係合部が設けられる。
【００１３】
このような排水装置では、湛水時には、排水流入口は封止された状態で、田面水流入口から外筒内に流入した設定水位以上の田面水が排出口から排出される。一方、乾田時には、排水流入口は開口されて、排水流入口から外筒内に流入した深溝または地中からの排水が排出口から排出される。
【００１４】
第１の発明によれば、内筒の上下動によって田面水流入口の高さを調整することにより、田面水の水位を調整でき、封止部を用いて排水流入口を開閉することにより、深溝または地中からの排水の可否を制御できる。つまり、簡単な構成で、設定水位以上の田面水を排出してその水位を調整できると共に、深溝または地中からの排水を排出できる。また、構成が簡単であるので、排水装置の製造コストおよび設置コストを安価に抑えることができる。
【００１５】
さらに、第２係合部で第１係合部を係止することによって内筒が所望の高さ位置で保持されるので、内筒の意図しない下がりを防止することができ、田面水の水位調整を適切に行うことができる。
【００１６】
第２の発明は、第１の発明に従属し、内筒の下部分は、軸方向長さが周方向で異なるように形成され、外筒は、内周面から突出する突起部を有し、第１係合部が内筒の下端であり、第２係合部が突起部である。
【００１７】
第２の発明では、外筒の内周面には、内筒の下端を係止する突起部が形成される。また、内筒の下部分の軸方向長さ（下部分の上端から下端までの長さ）が、周方向で異なるように形成される。これにより、内筒を上下動させるときには、内筒を周方向に回転させつつ上下動させることによって、どの高さ位置においても、外筒の突起部に内筒の下端を係止させた状態にすることが可能となる。すなわち、第２の発明では、第１係合部である内筒の下端を第２係合部である外筒の突起部が係止することによって、内筒が所望の高さ位置で保持される。
【００１８】
第２の発明によれば、内筒を周方向に回転させながら上下動させるという簡単な作業で、内筒を所望の高さ位置で保持させることが可能となる。
【００１９】
第３の発明は、第２の発明に従属し、内筒の下端は、階段状に形成される。
【００２０】
第３の発明では、第１係合部である内筒の下端が階段状に形成される。これによって、内筒の下端と第２係合部である外筒の突起部とが水平方向に面接触するようになるので、内筒の意図しない下がりをより確実に防止することができる。
【００２１】
第４の発明は、第１ないし第３のいずれかの発明に従属し、外筒の内周面および内筒の外周面のそれぞれと密着する止水部材を備える。
【００２２】
第４の発明では、止水部材は、たとえば合成ゴム等によって形成されるゴム輪であって、外筒の内周面および内筒の外周面のそれぞれと密着して、この間の止水性を確保する。
【００２３】
第４の発明によれば、外筒と内筒との間の隙間からの水漏れを防ぐことができる。また、止水部材の密着力によっても内筒が保持されるので、内筒の意図しない下がりをより確実に防止することができる。
【発明の効果】
【００２４】
この発明によれば、内筒の上下動によって田面水流入口の高さを調整することにより、田面水の水位を調整でき、封止部を用いて排水流入口を開閉することにより、深溝または地中からの排水の可否を制御できる。すなわち、簡単な構成で、設定水位以上の田面水を排水してその水位を調整できると共に、深溝または地中からの排水を排出できる。また、構成が簡単であるので、製作コストおよび設置コストを安価に抑えることができる。
【００２５】
さらに、第２係合部で第１係合部を係止することによって内筒が所望の高さ位置で保持されるので、内筒の意図しない下がりを防止することができ、田面水の水位調整を適切に行うことができる。
【００２６】
この発明の上述の目的、その他の目的、特徴および利点は、図面を参照して行う後述の実施例の詳細な説明から一層明らかとなろう。
【図面の簡単な説明】
【００２７】
【図１】この発明の一実施例である排水装置を圃場に設置した様子を示す図解図である。
【図２】図１の排水装置の外観を示す図解図である。
【図３】図１の排水装置を示す断面図である。
【図４】図１の排水装置が備える外筒を示す断面図である。
【図５】図１の排水装置が備える内筒を示す図解図であって、(Ａ)は内筒の断面図であり、(Ｂ)は内筒の正面図である。
【図６】図１の排水装置が備えるキャップを示す断面図である。
【図７】図１の排水装置を用いて田面水の水位調整を行っているときの様子を示す図解図である。
【図８】図１の排水装置を用いて深溝または地中からの排水を排出しているときの様子を示す図解図である。
【図９】この発明の他の実施例である排水装置を示す断面図である。
【図１０】この発明のさらに他の実施例である排水装置を示す断面図である。
【図１１】図１０の排水装置の内筒が有する第１係合部を示す図解図である。
【図１２】この発明のさらに他の実施例である排水装置を示す断面図である。
【図１３】図１２の排水装置が備える蓋の外観を示す図解図である。
【図１４】この発明のさらに他の実施例である排水装置を示す断面図である。
【図１５】図１４の排水装置が備える蓋の外観を示す図解図である。
【図１６】この発明のさらに他の実施例である排水装置の上部を示す図解図であって、(Ａ)は内筒が最下位置にあるときの状態を示す図解図であり、(Ｂ)は内筒が最上位置にあるときの状態を示す図解図である。
【図１７】この発明のさらに他の実施例である排水装置の上部を示す図解図であって、(Ａ)は内筒が最下位置にあるときの状態を示す図解図であり、(Ｂ)は内筒の平面図である。
【発明を実施するための形態】
【００２８】
図１を参照して、この発明の一実施例である排水装置１０は、外筒１２、内筒１４および蓋１６などを含み、田畑輪換を行う圃場１００等に埋設されて使用される。そして、湛水時、つまり圃場１００を水田として使用するときには、設定水位以上の田面水を排水してその水位調整を行うと共に、乾田時、つまり圃場１００を乾田化して畑として使用するときには、深溝水または地中水を排出する。ただし、排水装置１０は、数年ごとに田畑輪換を行う圃場１００だけでなく、冬期に裏作を行う圃場や、単に水を抜いて乾田化する時期のある圃場などにも適宜利用される。
【００２９】
以下、図２−図６を参照して、排水装置１０の構成について説明する。図２および図３に示すように、排水装置１０は、硬質塩化ビニル等の合成樹脂などによって形成され、縦管状の外筒１２と、外筒１２に対して上下動可能に嵌入される内筒１４と、外筒１２に形成される排水流入口２０に対して着脱可能に設けられる蓋１６とを含む。詳細は後述するように、内筒１４を上下動させることによって、内筒１４の上端部に形成される田面水流入口３０の高さ位置が変更され、蓋１６を着脱することによって、排水流入口２０が開閉される。なお、内筒１４の上端部は、その最下位置において、外筒１２の上端から突出する状態となる。内筒１４を最下位置にした状態における排水装置１０の上下方向の長さ（高さ）は、たとえば３５０ｍｍである。
【００３０】
図４に示すように、外筒１２は、略円筒状に形成される側壁１２ａとその下端に設けられる底壁１２ｂとを含む、上端開放の有底縦管状に形成される。また、側壁１２ａの下端部には、排水流入口２０および排出口２２が互いに対向し合う位置に形成される。排水流入口２０および排出口２２の内径は、たとえば１５０ｍｍである。
【００３１】
排水流入口２０は、圃場１００に形成される深溝または地中からの排水を外筒１２内に流入させるための開口であり、側壁１２ａの下端部から横方向に突出する短管状に形成される。この排水流入口２０には、蓋１６が着脱可能に取り付けられる。一方、排出口２２は、外管１２内に流入した水を外部に排出するための開口であり、側壁１２ａの下端部から横方向に突出する短管状に形成される。排出口２２は、排水路１０４まで延びる排水管１０６（図１参照）との接続部としても利用される。
【００３２】
この実施例では、側壁１２ａの下端部は、横管状に形成されており、その横管状部分の両端部が排水流入口２０および排出口２２として利用される。また、横管状部分の中央底部が外筒１２の底壁１２ｂとなる。なお、このような外筒１２の基本構造は、汎用のチーズ継手（９０°Ｙ）に対して汎用の直管を接続するだけで形成できるので、排水装置１０の製作コストを抑制することができる。
【００３３】
また、側壁１２ａの上端部の内周面には、周方向に延びる環状溝２４が形成され、この環状溝２４には、合成ゴムまたはエラストマ等によって形成されるゴム輪などの止水部材２６が装着される。止水部材２６は、環状溝２４の全長に亘って延びる環状に形成されており、環状溝２４の内面（つまり外筒１２の内周面）および内筒１４の外周面のそれぞれと密着して、この間の止水性を確保する。
【００３４】
さらに、側壁１２ａの内周面には、後述する内筒１４の下端（第１係合部）１４ｂを係止する突起部（第２係合部）２８が設けられる。突起部２８は、直方体状、短円柱状または半球状などの突起であって、排水流入口２０の上方に形成される。この実施例では、ボルトを用いて側壁１２ａの内周面にＬ金具を取り付けることによって、突起部２８が形成される。ただし、突起部２８の形成方法は、適宜変更可能である。たとえば、ボルトの先端が側壁１２ａの内周面から突出するようにボルトを側壁１２ａに取り付け、そのボルトの先端を突起部２８としてもよい。
【００３５】
図５に示すように、内筒１４は、両端開放の円筒状に形成される。内筒１４の上端の開口は、圃場１００に供給された余剰の田面水を外筒１２内に流入させるための田面水流入口３０として機能する。内筒１４の軸方向長さは、たとえば３５０ｍｍであり、その内径は、たとえば１４０ｍｍである。
【００３６】
内筒１４の上端部には、略Ｃ字状の把持部（取っ手）３２が設けられる。ただし、把持部３２の形状は、適宜変更可能である。たとえば、把持部３２は、内筒１４の上端部から外方に突出する鍔状に形成されてもよい。
【００３７】
また、この実施例では、内筒１４の下部分１４ａは、一方側面から斜め方向に切り欠かれた楔形状に形成される。すなわち、内筒１４の下端１４ｂは、傾斜面となっており、内筒１４の下部分１４ａの軸方向長さ（下部分１４ａの上端から下端までの長さ）ｈは、周方向で異なるように形成される。これにより、内筒１４を上下動させるときには、内筒１４を周方向に回転させつつ上下動させることによって、内筒１４がどの高さ位置にある場合でも、外筒１２の突起部（第２係合部）２８に対して内筒１４の下端（第１係合部）１４ｂを係止（当接）させた状態にすることが可能となる（図３、図７および図８参照）。したがって、内筒１４は、所望の高さ位置で保持可能であり、内筒１４の意図しない下がりは確実に防止される。内筒１４の下部分１４ａの軸方向長さｈの最長部分と最短部分との差は、たとえば１５０ｍｍである。
【００３８】
また、内筒１４の外周面には、目盛線と数値とを含む目盛部５０が設けられる。目盛部５０は、圃場１００の地表面からの内筒１４の突出高さ、つまり田面水流入口３０の高さ位置を示す目印である。作業者は、たとえば、目盛部５０の所望水位を示す目盛線と外筒１２の側壁１２ａ上端とを合わせることによって、田面水の水位を所望水位に設定することができる。
【００３９】
この実施例では、０ｍｍ（最下位置）から１５０ｍｍ（最上位置）までの２５ｍｍ毎の目盛が、内筒１４の下端１４ｂに対応して、斜め方向に並ぶように表示される。目盛部５０を斜め方向に配置するのは、内筒１４が周方向に回転されつつ上下動されるものであるからである。これによって、内筒１４がどの高さ位置にある場合でも、同じ方向から目盛部５０を確認することができる。また、目盛部５０が所定方向（たとえば畦畔１０２側）にあることを確認することによって、外筒１２の突起部２８によって内筒１４の下端１４ｂが係止された状態であることを、排水装置１０の内部を覗くことなく、外部から容易に確認できる。
【００４０】
図６に示すように、蓋１６は、排水流入口２０を開閉可能に封止する封止部であって、短円筒状に形成される嵌合部１６ａと、嵌合部１６ａの一方端を封止する円板状の封止部１６ｂとを含む。たとえば、蓋１６の嵌合部１６ａの内周面には、ゴム輪などの止水部材３４が装着される。蓋１６は、この止水部材３４を介して、外筒１２の排水流入口２０に対して着脱可能であってかつ水密的に取り付けられる。
【００４１】
このような排水装置１０は、図１に示すように、圃場１００等に埋設されて使用される。たとえば、２０００−４０００ｍ２の圃場面積に対して１つの排水装置１０を配置するという割合で、圃場１００に排水装置１０が設けられる。具体的には、圃場１００の作付面積を減少させないように、畦畔１０２の圃場１００側の一部が掘削され、そこに排水装置１０が埋設される。この際、排水装置１０は、外筒１２に対する内筒１４の位置が最下位置となる状態で、内筒１４の上端が圃場１００の地表面と略面一となるように埋設される。また、排出口２２には、排水路１０４まで延びる排水管１０６が接着接合またはゴム輪接合などによって接続され、排水流入口２０は、蓋１６が装着された状態のまま地中に配置される。ただし、圃場１００に深溝が設けられている場合には、深溝の下流側端部に排水流入口２０を配置するとよい。
【００４２】
そして、湛水時には、図７に示すように、内筒１４の上端、つまり田面水流入口３０が田面水の所望水位の高さ位置にくるように、内筒１４を回転させつつ上昇させてその位置を調整する。この際、内筒１４は、その下端１４ｂが外筒１２の突起部２８に係止されることによって、所望の高さ位置で固定保持され、意図しない下がりが防止される。また、内筒１４は、止水部材２６の密着力（抵抗力）によってもその高さ位置および周方向位置を保持しようとするので、内筒１４の意図しない下がりはより確実に防止される。
【００４３】
このような状態で圃場１００に用水が供給されると、田面水の水位が内筒１４の田面水流入口３０の高さ位置に達した後、設定水位以上の余剰の用水は、田面水流入口３０から外筒１２内に流入し、排出口２２から排出される。そして、排出管１０６を通って排水路１０４まで搬送される。これによって、圃場１００の田面水の水位は、内筒１４の田面水流入口３０の高さ位置に保たれるようになる。なお、この実施例では、内筒１４を上下動させることにより、圃場１００の地表面に対する田面水流入口３０の高さ位置、つまり田面水の水位を０−１５０ｍｍの間で調整することが可能である。
【００４４】
一方、乾田時には、図８に示すように、排水装置１０の周囲の土を掘り起こして、蓋１６および排水流入口２０を露出させる。その後、蓋１６を取り外して、外筒１２の排水流入口２０を開く。また、内筒１４は、排水流入口２０からの水の流入の邪魔にならない程度の高さ位置まで、上昇させておく。排水流入口２０が開かれると、余剰の地中水（または深溝水）が排水流入口２０から外筒１２内に流入し、排出口２２から排出される。そして、排出管１０６を通って排水路１０４まで搬送される。これによって、圃場１００は、乾田状態となって畑作を好適に行うことができるようになる。
【００４５】
この実施例によれば、内筒１４の上下動によって田面水流入口３０の高さを調整することにより、田面水の水位を調整できる。また、蓋１６の着脱によって排水流入口２０を開閉することにより、深溝または地中からの排水の可否を制御できる。つまり、簡単な構成で、設定水位以上の田面水を排出してその水位を調整できると共に、深溝または地中からの排水を排出できる。
【００４６】
また、排水装置１０は構成が簡単であるので、製作コストおよび設置コストを安価に抑えることができる。
【００４７】
さらに、第１係合部である内筒１４の下端１４ｂが第２係合部である外筒１２の突起部２８に係止されることによって、内筒１４が所望の高さ位置で保持されるので、内筒１４の意図しない下がりを防止することができ、田面水の水位調整を適切に行うことができる。
【００４８】
さらにまた、排水流入口２０を排出口２２と同じ高さ位置に設けているので、排水装置１０を低背化でき、排水先の排水路１０４が浅い場合にも対応可能となる。つまり、用排水分離などの基盤整備が十分にされていないような小規模な圃場１００にも好適に利用できる。
【００４９】
なお、上述の実施例では、排水流入口２０をそのまま地中に配置するようにしたが、これに限定されない。たとえば、圃場１００の地中に有孔排水管等の暗渠管または弾丸暗渠などを設けておき、その下流側端部の近傍に排水流入口２０を配置するようにしてもよい。暗渠管、弾丸暗渠または深溝などを圃場１００に設ける場合には、暗渠管などを敷設する分だけ高コストとなるが、圃場１００の全域から効率的に排水を集めることができるようになるので、排水性能をより向上させることができる。
【００５０】
また、上述の実施例では、排水流入口２０および排出口２２を互いに対向し合う位置、つまり周方向に１８０°ずらした位置に設けるようにした。しかし、排水流入口２０と排出口２２との周方向における位置関係は、特に限定されず、９０°や１２０°等の適宜な角度だけずらした位置に排水流入口２０および排出口２２を設けることもできる。また、排水流入口２０は、排出口２２よりも高い位置に形成することもできる。
【００５１】
さらに、上述の実施例では、第１係止部である内筒１４の下端１４ｂを傾斜面としたが、これに限定されない。たとえば、図９に示す実施例のように、第１係止部である内筒１４の下端１４ｂを、水平面と垂直面とが交互に繰り返される階段状に形成することによって、内筒１４の下部分１４ａの軸方向長さを周方向で異なるようにすることもできる。
【００５２】
図１に示す実施例では、内筒１４の下端１４ｂが傾斜面とされていることから、内筒１４に対して下方向に大きな力が予期せず作用した場合には、内筒１４の下端１４ｂが突起部２８上を滑り、内筒１４が回転しながら下降してしまう可能性が僅かながらある。これに対して、図９に示す実施例では、内筒１４の下端１４ｂが階段状に形成されるので、内筒１４の下端１４ｂと突起部２８とが水平方向に面接触するようになる。これによって、内筒１４に対して下方向に大きな力が作用した場合にも、内筒１４が回転しながら下降してしまうことが防止される。したがって、図９に示す実施例によれば、内筒１４の意図しない下がりをより確実に防止することができる。
【００５３】
さらにまた、上述の実施例では、内筒１４の下端１４ｂを第１係止部としたが、内筒１４に設けられる第１係止部の態様は、これに限定されない。たとえば、図１０に示す実施例のように、内筒１４の外周面に形成した係止溝４２を第１係止部とすることもできる。
【００５４】
具体的には、図１０および図１１に示すように、外筒１２の側壁１２ａ内周面には、突起部（第２係合部）３８が形成される。突起部３８は、直方体状、短円柱状または半球状などの突起であって、側壁１２ａの高さ方向における略中央部に形成される。一方、内筒１４の外周面には、下端１４ａから上方向に延びる案内溝４０が形成され、また、案内溝４０から横方向に分岐する複数の係止溝（第１嵌合部）４２が上下方向に所定間隔をおいて形成される。
【００５５】
そして、内筒１４を上下動させる際には、突起部３８を案内溝４０に嵌め込んだ状態とし、案内溝４０に沿って突起部３８が移動させるようにして内筒１４を上下動させる。また、内筒１４を所望の高さ位置で保持する際には、内筒１４を周方向に少し回転させて突起部３８と係止溝４２とを嵌合させ、突起部３８によって係止溝４２を係止させるとよい。
【００５６】
図１０に示す実施例においても、図１に示す実施例と同様に、簡単な構成で、設定水位以上の田面水を排出してその水位を調整できると共に、深溝または地中からの排水を排出できる。また、第１係合部である内筒１４の係止溝４２が第２係合部である外筒１２の突起部３８に係止されることによって、内筒１４が所望の高さ位置で保持されるので、内筒１４の意図しない下がりを防止することができ、田面水の水位調整を適切に行うことができる。
【００５７】
また、上述の実施例では、外筒１２の排水流入口２０を少し長めの短管状に形成しているが、封止部によって開閉可能であれば、排水流入口２０の形状は適宜変更可能である。また、排水流入口２０の形状に合わせて、封止部の形状も適宜変更可能である。
【００５８】
たとえば、図１２示す実施例のように、外筒１２の排水流入口２０の軸方向長さをごく短くすることもできる。この場合には、たとえば、図１３に示すような蓋１６を用いるとよい。図１３に示すように、蓋１６は、短円筒状に形成される嵌合部１６ａと、嵌合部１６ａの一方端を封止し、かつ嵌合部１６ａよりも大径の円板状の封止部１６ｂとを含む。この封止部１６ｂには、略Ｃ字状の把持部（取っ手）１６ｃが設けられる。また、蓋１６の嵌合部１６ａの外周面には、ゴム輪などの止水部材３４が装着される。蓋１６は、この止水部材３４を介して、外筒１２の排水流入口２０に対して着脱可能であってかつ水密的に取り付けられる。
【００５９】
図１２に示す実施例によれば、外筒１２の排水流入口２０の軸方向長さを短くしたので、乾田時において蓋１６を取り外すために排水装置１０の周囲の土を掘り起こすときに、その掘削量を少なくできる。
【００６０】
また、たとえば、図１４に示す実施例のように、蓋（封止部）１６を仕切板状に形成することもできる。図１４に示す実施例では、排水流入口２０の上部には、上下方向に延びる断面矩形の差込口５２が形成され、この差込口５２を介して蓋１６が上下方向に着脱される。蓋１６は、図１５に示すように、半円板状の下部分１６ｄと矩形板状の上部分１６ｅとを有する板状体であって、蓋１６の下部分１６ｄの周側面は、排水流入口２０の内周面に沿う形状とされる。また、蓋１６の上部分１６ｅの上端には、略Ｃ字状の把持部（取っ手）１６ｆが設けられる。さらに、蓋１６には、排水流入口２０との接触部分の全体に亘るように、スポンジ系ゴムなどで形成される帯状の止水部材５２が設けられる。
【００６１】
図１４に示す実施例によれば、乾田時において蓋１６を取り外すときには、蓋１６を上方に移動させるだけでよいので、排水装置１０の周囲の土を掘り起こす際の掘削量をより少なくできる。また、蓋１６を上下動させるだけで蓋１６の着脱を行えるので、排水流入口２０の開閉を容易に行うことができる。
【００６２】
また、外筒１２の排出口２２の形状も、排水管１０６と水密的に接続できる形状であれば適宜変更可能である。たとえば、排出口２２は、受口形状とする代わりに、差口形状とすることもできる。
【００６３】
さらに、上述の実施例では、内筒１４の外周面に対して目盛部（第１目盛部）５０を設けたが、この目盛部５０と共に、或いは目盛部５０に代えて、内筒１４の上端面に目盛部（第２目盛部）５４を設けることもできる。
【００６４】
たとえば、図１６に示すように、内筒１４の上端面に対して、周方向に所定間隔で並び、内筒１４の最下位置から最上位置までの高さ位置を示す目盛線からなる目盛部５４を設けることもできる。この際、外筒１２の上端面には、目盛合わせの基準となる基準位置（基準方向）を示す合マーク部５６を設けておく。作業者は、目盛部５４の所望水位を示す目盛線と合マーク部５６とを合わせることによって、田面水の水位を所望水位に設定することができる。つまり、図１６に示す実施例では、内筒１４の回転角度によって内筒１４の高さ位置が規定される。
【００６５】
また、たとえば、図１７に示すように、内筒１４の上端部に鍔部１４ｃを形成して内筒１４の上端面を大きくし、目盛線および数値を含む目盛部５４を設けることもできる。ただし、図１６のように内筒１４の上端部に鍔部１４ｃを形成しない場合でも、目盛部５４が数値を含むようにしてもよい。
【００６６】
図１６または図１７に示す実施例によれば、内筒１４の上端面に対して目盛部５４を設けたので、上方から目盛部５４を目視し易くなり、内筒１４の高さ位置の調整が容易となる。また、内筒１４の上端面は止水部材２６と擦れ合うことがないので、内筒１４の上端面に設けた目盛部５４は消えにくい。
【００６７】
なお、上で挙げた寸法などの具体的数値は、いずれも単なる一例であり、製品の仕様などの必要に応じて適宜変更可能である。
【符号の説明】
【００６８】
１０  …排水装置
１２  …外筒
１４  …内筒
１４ｂ  …内筒の下端（第１係合部）
１６  …蓋（封止部）
２０  …排水流入口
２２  …排出口
２６  …止水部材
２８,３８  …突起部（第２係合部）
３０  …田面水流入口
４２  …係止溝（第１係合部）
１００  …圃場
１０２  …畦畔
１０４  …排水路
【図１】
0006504398.tif 000002
【図２】
0006504398.tif 000003
【図３】
0006504398.tif 000004
【図４】
0006504398.tif 000005
【図５】
0006504398.tif 000006
【図６】
0006504398.tif 000007
【図７】
0006504398.tif 000008
【図８】
0006504398.tif 000009
【図９】
0006504398.tif 000010
【図１０】
0006504398.tif 000011
【図１１】
0006504398.tif 000012
【図１２】
0006504398.tif 000013
【図１３】
0006504398.tif 000014
【図１４】
0006504398.tif 000015
【図１５】
0006504398.tif 000016
【図１６】
0006504398.tif 000017
【図１７】
0006504398.tif 000018